(57)【要約】  本発明による歯科用インプラントのフィクスチャーは、外壁の周りに沿って螺旋状にネジ部が設けられ、支台柱が挿入される支台柱用挿入溝が上端部から長手方向に陥没して形成されるフィクスチャー本体；フィクスチャー本体の内壁の少なくとも一部に支台柱の外壁に結合される形状に設けられ、多角状をなして、支台柱のフィクスチャー本体に対する相対回転を阻止する支台柱回転阻止部；支台柱回転阻止部の上部領域で支台柱回転阻止部に隣接するように、フィクスチャー本体に設けられ、フィクスチャー本体を回転させる回転用工具が着脱自在に結合される工具結合部；を含む。
2021505257.tif 000002
【特許請求の範囲】
【請求項１】
外壁の周りに沿って螺旋状にネジ部が設けられ、支台柱が挿入される支台柱用挿入溝が上端部から長手方向に陥没して形成されるフィクスチャー本体と、
前記フィクスチャー本体の内壁の少なくとも一部に前記支台柱の外壁に結合される形状に設けられ、多角状をなして、前記支台柱の前記フィクスチャー本体に対する相対回転を阻止する支台柱回転阻止部と、
前記支台柱回転阻止部の上部領域で前記支台柱回転阻止部に隣接するように、前記フィクスチャー本体に設けられ、前記フィクスチャー本体を回転させる回転用工具が着脱自在に結合される工具結合部と、
を含む歯科用インプラントのフィクスチャー。
【請求項２】
前記支台柱回転阻止部の内壁は、前記フィクスチャー本体の円周方向に沿って八角状に設けられることを特徴とする請求項１に記載の歯科用インプラントのフィクスチャー。
【請求項３】
前記工具結合部は、
前記支台柱回転阻止部の内壁の縁部領域から上側に所定長さで延設される係止部と、
前記係止部に連結され、前記係止部の内壁から前記フィクスチャー本体の外壁方向に所定深さで陥没して形成される溝部と、
を含む請求項２に記載の歯科用インプラントのフィクスチャー。
【請求項４】
前記係止部の前記フィクスチャーの円周方向に沿う長さは、前記支台柱回転阻止部の内壁が形成する八角状の一辺の長さよりも小さいことを特徴とする請求項３に記載の歯科用インプラントのフィクスチャー。
【請求項５】
前記係止部は、４個設けられて、前記フィクスチャー本体の仮想の中心軸線を基準として対称に配されることを特徴とする請求項３に記載の歯科用インプラントのフィクスチャー。
【請求項６】
前記係止部の上端部は、
上側に行くほど前記支台柱用挿入溝の内径が大きくなるように、斜めに傾いた形状に設けられることを特徴とする請求項３に記載の歯科用インプラントのフィクスチャー。
【請求項７】
前記係止部の縦方向の長さは、前記支台柱回転阻止部の縦方向の長さよりも小さいことを特徴とする請求項３に記載の歯科用インプラントのフィクスチャー。
【請求項８】
前記溝部の前記フィクスチャーの円周方向に沿う長さは、前記支台柱回転阻止部の内壁が形成する八角状の一辺の長さよりも大きいことを特徴とする請求項３に記載の歯科用インプラントのフィクスチャー。
【請求項９】
前記溝部は、４個設けられて、前記フィクスチャーの仮想の中心軸線を基準として対称に配されることを特徴とする請求項３に記載の歯科用インプラントのフィクスチャー。
【請求項１０】
前記フィクスチャー本体は、
前記支台柱回転阻止部の上部領域に配され、前記フィクスチャー本体の上端部から前記フィクスチャー本体の下端部に行くほど、前記支台柱用挿入溝の内径が漸進的に狭まるように、前記内壁がテーパー状に設けられるテーパー部を含み、
前記工具結合部は、
前記テーパー部に設けられ、前記テーパー部の内壁から前記フィクスチャーの外壁方向に所定深さで陥没して形成される工具係合溝部を含む請求項２に記載の歯科用インプラントのフィクスチャー。
【請求項１１】
前記工具係合溝部の前記フィクスチャー本体の円周方向に沿う長さは、前記支台柱回転阻止部の内壁が形成する八角状の一辺の長さよりも小さいことを特徴とする請求項１０に記載の歯科用インプラントのフィクスチャー。
【請求項１２】
前記工具係合溝部を形成する側壁の高さは、下方に行くほど大きくなることを特徴とする請求項１０に記載の歯科用インプラントのフィクスチャー。
【請求項１３】
前記工具係合溝部は、８個設けられて、前記フィクスチャー本体の仮想の中心軸線を基準として対称に配されることを特徴とする請求項１０に記載の歯科用インプラントのフィクスチャー。
【請求項１４】
前記フィクスチャー本体は、
前記支台柱回転阻止部に連結され、前記支台柱回転阻止部の下部領域に配され、前記支台柱を支持する支台柱支持部をさらに含む請求項１に記載の歯科用インプラントのフィクスチャー。
【請求項１５】
前記フィクスチャー本体は、
前記支台柱支持部に連結され、前記支台柱支持部の下部領域に配され、前記支台柱支持部の底面から前記フィクスチャー本体の長手方向に沿って形成されて、前記支台柱を前記フィクスチャーに結合させる支台柱スクリューが締結されるスクリュー溝が設けられたスクリュー締結部をさらに含む請求項１４に記載の歯科用インプラントのフィクスチャー。
【発明の詳細な説明】
【技術分野】
【０００１】
本発明は、歯科用インプラントのフィクスチャーに係り、より詳細には、フィクスチャーに結合された支台柱の揺れを防止することができる歯科用インプラントのフィクスチャーに関する。
【背景技術】
【０００２】
インプラントは、元々人体組織が喪失された時、回復させる代替物を意味するが、歯科では、人工歯牙を移植する一連の施術を示す。
【０００３】
喪失された歯根の代わりに、人体に拒絶反応のないチタン（ｔｉｔａｎｉｕｍ）などで作った歯根であるフィクスチャー（ｆｉｘｔｕｒｅ）を抜歯された歯槽骨に植えた後、人工歯牙を固定させて、歯牙の機能を回復させる施術である。
【０００４】
一般補綴物や総入れ歯の場合、経時的に周りの歯牙と骨とが傷むが、インプラントは周辺歯牙組織を傷まないようにし、自然歯牙と機能や形状が同じながらも虫歯が生じないので、半永久的に使用できるという長所がある。
【０００５】
人工歯牙施術（インプラントまたはインプラント施術とも言う）は、フィクスチャーの種類によって多様であるが、所定のドリルを使用して植立位置を穿孔した後、フィクスチャーを歯槽骨に植立して骨に骨融合させた後、フィクスチャーに支台柱（ａｂｕｔｍｅｎｔ）を結合させた後に、支台柱に最終補綴物を被せることにより、完了することが一般的である。
【０００６】
歯科用インプラントは、単一欠損値の修復はもとより部分無歯牙及び完全無歯牙患者に義歯の機能を増進させ、歯牙補綴修復の審美的な面を改善させ、さらに周りの支持骨組織に加えられる過度な応力を分散させると同時に、歯列の安定化に役に立つ。
【０００７】
このような歯科用インプラントは、一般的に、人工歯根として植立されるフィクスチャーと、フィクスチャー上に結合される支台柱と、支台柱をフィクスチャーに固定する支台柱スクリュー（Ａｂｕｔｍｅｎｔ  Ｓｃｒｅｗ）と、支台柱に結合される人工歯牙と、を含む。ここで、支台柱をフィクスチャーに結合させる前に、すなわち、歯槽骨にフィクスチャーが骨融合されるまでの期間の間に支台柱がフィクスチャーに結合されて結合状態を保持する。
【０００８】
歯科用インプラントの一構成品であるフィクスチャーは、インプラントが施術される位置にドリルなどを用いて歯槽骨に形成されたドリルホールに植立される部分であって、人工歯根の役割を担当する。フィクスチャーと歯槽骨との堅い固定のために、フィクスチャーの外壁の周りには螺旋状にネジ部が設けられる。
【０００９】
また、フィクスチャーには、上端部から長手方向に陥没して形成され、支台柱が挿入される支台柱用挿入溝が設けられる。
【００１０】
このような支台柱用挿入溝の内壁には、支台柱の外壁に結合される形状に設けられて、支台柱のフィクスチャーに対する相対回転を阻止し、また、回転用工具が着脱自在に結合される支台柱及び工具兼用結合部が設けられる。
【００１１】
このような支台柱及び工具兼用結合部は、内壁が支台柱及び工具の外壁に結合されることにより、フィクスチャーの植立時に回転用工具の回動力を伝達される機能と、支台柱用挿入溝に挿入された支台柱のフィクスチャーに対する相対回転を阻止する機能と、を有する。
【００１２】
このような従来技術によるフィクスチャーで支台柱兼用工具結合部の内壁は、フィクスチャーの円周方向に沿って六角状に設けられる。もちろん、支台柱には、外壁が支台柱兼用工具結合部の内壁に結合される形状を有する挿入部が設けられる。
【００１３】
前述したように、従来技術によるフィクスチャーの支台柱兼用工具結合部の内壁と支台柱の挿入部の外壁は、六角状に設けられるが、このような六角状の特性上、フィクスチャーの支台柱兼用工具結合部の内壁と支台柱の挿入部の外壁とが完全に密着されず、フィクスチャーの支台柱兼用工具結合部の内壁と支台柱の挿入部の外壁との間に微細な離隔空間が発生する。
【００１４】
このような離隔空間によってフィクスチャーに結合された支台柱に揺れが発生し、このような支台柱の揺れは、支台柱またはフィクスチャーの破損を誘発する。
【００１５】
このような支台柱の揺れを無くすためには、フィクスチャーの支台柱兼用工具結合部の内壁と支台柱の挿入部の外壁との間に発生する離隔空間を無くさなければならないが、このような離隔空間を無くすためには、フィクスチャーの支台柱兼用工具結合部の内壁形状を従来の六角状以上の多角状に変更しなければならない。
【００１６】
ところで、フィクスチャーの支台柱兼用工具結合部の内壁形状が、従来の六角状以上の多角状に変更されれば、回転用工具のトルクがフィクスチャーに円滑に伝達されないという問題点がある。
【００１７】
すなわち、支台柱兼用工具結合部の内壁の形状が、従来の六角状以上の多角状に変更されれば、その多角形を成す一辺（ｓｉｄｅ）の長さが、従来の六角状の一辺の長さに比べて短くなるので、回転用工具のトルクがフィクスチャーに効果的に伝達されにくいという問題点がある。
【発明の概要】
【発明が解決しようとする課題】
【００１８】
本発明が解決しようとする課題は、フィクスチャーに結合された支台柱の揺れを防止し、かつフィクスチャーの植立過程で回転用工具のトルクを効果的に伝達される歯科用インプラントのフィクスチャーを提供するところにある。
【課題を解決するための手段】
【００１９】
本発明の一側面によれば、外壁の周りに沿って螺旋状にネジ部が設けられ、支台柱が挿入される支台柱用挿入溝が上端部から長手方向に陥没して形成されるフィクスチャー本体；前記フィクスチャー本体の内壁の少なくとも一部に前記支台柱の外壁に結合される形状に設けられ、多角状をなして、前記支台柱の前記フィクスチャー本体に対する相対回転を阻止する支台柱回転阻止部；及び前記支台柱回転阻止部の上部領域で前記支台柱回転阻止部に隣接するように、前記フィクスチャー本体に設けられ、前記フィクスチャー本体を回転させる回転用工具が着脱自在に結合される工具結合部；を含む歯科用インプラントのフィクスチャーが提供されうる。
【００２０】
前記支台柱回転阻止部の内壁は、前記フィクスチャー本体の円周方向に沿って八角状に設けられうる。
【００２１】
前記工具結合部は、前記支台柱回転阻止部の内壁の縁部領域から上側に所定長さで延設される係止部；及び、前記係止部に連結され、前記係止部の内壁から前記フィクスチャー本体の外壁方向に所定深さで陥没して形成される溝部；を含みうる。
【００２２】
前記係止部の前記フィクスチャーの円周方向に沿う長さは、前記支台柱回転阻止部の内壁が形成する八角状の一辺の長さよりも小さい。
【００２３】
前記係止部は、４個設けられて、前記フィクスチャー本体の仮想の中心軸線を基準として対称に配される。
【００２４】
前記係止部の上端部は、上側に行くほど前記支台柱用挿入溝の内径が大きくなるように、斜めに傾いた形状に設けられうる。
【００２５】
前記係止部の縦方向の長さは、前記支台柱回転阻止部の縦方向の長さよりも小さい。
【００２６】
前記溝部の前記フィクスチャーの円周方向に沿う長さは、前記支台柱回転阻止部の内壁が形成する八角状の一辺の長さよりも大きい。
【００２７】
前記溝部は、４個設けられて、前記フィクスチャーの仮想の中心軸線を基準として対称に配される。
【００２８】
前記フィクスチャー本体は、前記支台柱回転阻止部の上部領域に配され、前記フィクスチャー本体の上端部から前記フィクスチャー本体の下端部に行くほど、前記支台柱用挿入溝の内径が漸進的に狭まるように、前記内壁がテーパー状のテーパー部を含み、前記工具結合部は、前記テーパー部に設けられ、前記テーパー部の内壁から前記フィクスチャーの外壁方向に所定深さで陥没して形成される工具係合溝部を含みうる。
【００２９】
前記工具係合溝部の前記フィクスチャー本体の円周方向に沿う長さは、前記支台柱回転阻止部の内壁が形成する八角状の一辺の長さよりも小さい。
【００３０】
前記工具係合溝部を形成する側壁の高さは、下方に行くほど大きくなる。
【００３１】
前記工具係合溝部は、８個設けられて、前記フィクスチャー本体の仮想の中心軸線を基準として対称に配される。
【００３２】
前記フィクスチャー本体は、前記支台柱回転阻止部に連結され、前記支台柱回転阻止部の下部領域に配され、前記支台柱を支持する支台柱支持部をさらに含みうる。
【００３３】
前記フィクスチャー本体は、前記支台柱支持部に連結され、前記支台柱支持部の下部領域に配され、前記支台柱支持部の底面から前記フィクスチャー本体の長手方向に沿って形成されて、前記支台柱を前記フィクスチャーに結合させる支台柱スクリューが締結されるスクリュー溝が設けられたスクリュー締結部をさらに含みうる。
【発明の効果】
【００３４】
本発明の実施形態は、内壁が支台柱の外壁に結合される形状に設けられる支台柱回転阻止部に隣接して配されて、フィクスチャー本体を回転させる回転用工具が着脱自在に結合される工具結合部を備えることにより、支台柱回転阻止部の形状が回転用工具の形状に影響を受けず、支台柱回転阻止部の内壁形状が支台柱の外壁に密着される形状に設けられ、それにより、フィクスチャー本体に結合された支台柱の揺れが防止されながらも、フィクスチャーの植立過程で回転用工具のトルクを効果的に伝達することができる。
【図面の簡単な説明】
【００３５】
【図１】本発明の第１実施形態による歯科用インプラントのフィクスチャーの植立過程が概略的に示された図面である。
【図２】図１の歯科用インプラントのフィクスチャーが示された図面である。
【図３】図２の正面図である。
【図４】図２の平面図である。
【図５】図３のＡ−Ａ線に沿って見た断面が示された図面である。
【図６】図３のＢ−Ｂ線に沿って見た断面が示された図面である。
【図７】図４のＣ−Ｃ線に沿って見た断面が示された図面である。
【図８】図４のＤ−Ｄ線に沿って見た断面が示された図面である。
【図９】本発明の第２実施形態による歯科用インプラントが示された図面である。
【図１０】図９の正面図である。
【図１１】図９の平面図である。
【図１２】図１０のＭ−Ｍ線に沿って見た断面が示された図面である。
【図１３】図１１のＰ−Ｐ線に沿って見た断面が示された図面である。
【図１４】図１１のＱ−Ｑ線に沿って見た断面が示された図面である。
【発明を実施するための形態】
【００３６】
本発明と本発明の動作上の利点及び本発明の実施によって達成される目的を十分に理解するためには、本発明の望ましい実施形態を例示する添付図面及び添付図面に記載の内容を参照しなければならない。
【００３７】
以下、添付図面を参照して、本発明の望ましい実施形態を説明することにより、本発明を詳しく説明する。但し、本発明を説明するに当って、既に公知の機能あるいは構成についての説明は、本発明の要旨を明瞭にするために省略する。
【００３８】
図１は、本発明の第１実施形態による歯科用インプラントのフィクスチャーの植立過程が概略的に示された図面であり、図２は、図１の歯科用インプラントのフィクスチャーが示された図面であり、図３は、図２の正面図であり、図４は、図２の平面図であり、図５は、図３のＡ−Ａ線に沿って見た断面が示された図面であり、図６は、図３のＢ−Ｂ線に沿って見た断面が示された図面であり、図７は、図４のＣ−Ｃ線に沿って見た断面が示された図面であり、図８は、図４のＤ−Ｄ線に沿って見た断面が示された図面である。
【００３９】
図１に示したように、歯茎３には、多数の歯牙１が配列されている。歯牙１は、食べ物を細かく砕いて胃腸に送る１次的消化手段であって、人ごとに異なることはできるが、通常２８個程度が備われる。
【００４０】
このような歯牙１のうちからある一歯牙１が喪失される場合（臼歯部が欠損される場合）、喪失された歯牙１によって心美感が落ちるだけではなく、食べ物をかむのも非常に不便さがある。
【００４１】
これにより、喪失された歯牙１の歯茎３に歯牙１の歯根２を代替しうる手段としてフィクスチャー本体１０を植立する。図１には詳しく図示していないが、フィクスチャー本体１０は、歯茎３内の歯槽骨（図示せず）に植立されるが、植立前、フィクスチャー本体１０の植立のために、ドリル作業が先行される。すなわち、歯槽骨（図示せず）の所定位置にドリリングされたホール（Ｇ）が加工される。
【００４２】
このようなフィクスチャー本体１０は、人体に拒絶反応のないチタン（Ｔｉ）またはチタン（Ｔｉ）合金で製造可能である。
【００４３】
参考までに、以下で説明される本実施形態のフィクスチャー本体１０は、最初のインプラント施術時に使われるものでもあり、あるいは施術失敗時に損傷した部位に所定の骨代替材料を補充せず、該当する歯槽骨（図示せず）に直接植立する時に使われる応急用でもある。
【００４４】
このようなフィクスチャー本体１０には、上端部に長手方向に陥没形成されて支台柱（図示せず）が挿入される支台柱用挿入溝（Ｈ１、図７参照）が設けられる。本実施形態によるフィクスチャー本体１０の構造を詳しく説明すれば、本実施形態によるフィクスチャー本体１０は、図２ないし図８に示したように、支台柱（図示せず）のフィクスチャー本体１０に対する相対回転を阻止する支台柱回転阻止部１１０と、支台柱回転阻止部１１０の上部領域で支台柱回転阻止部１１０に隣接して配される工具結合部１２０と、工具結合部１２０の上部領域に配されるテーパー部１３０と、支台柱回転阻止部１１０の下部領域に配される支台柱支持部１４０と、支台柱支持部１４０の下部領域に配されるスクリュー締結部１５０と、を含む。
【００４５】
支台柱回転阻止部１１０は、支台柱用挿入溝（Ｈ１）を形成する内壁１１１が支台柱（図示せず）の外壁に結合される形状に設けられる。このような支台柱回転阻止部１１０は、支台柱用挿入溝（Ｈ１）に挿入された支台柱（図示せず）がフィクスチャー本体１０に対する相対回転することを阻止する。
【００４６】
このような支台柱回転阻止部１１０の内壁１１１は、フィクスチャー本体１０の円周方向に沿って多角状に設けられるが、本実施形態において、支台柱回転阻止部１１０の内壁１１１は、図５に詳しく示したように、フィクスチャー本体１０の円周方向に沿って八角状に設けられる。
【００４７】
このように、支台柱回転阻止部１１０の内壁１１１が八角状に設けられることにより、八角形を成す一辺の長さが、従来の六角状の一辺の長さよりも小さくなり、それにより、支台柱回転阻止部１１０の内壁１１１と支台柱（図示せず）の外壁との間の離隔空間がさらに最小化されて、フィクスチャー本体１０に結合された支台柱（図示せず）の揺れが防止される。
【００４８】
工具結合部１２０は、支台柱回転阻止部１１０に連結され、支台柱回転阻止部１１０の上部領域に支台柱回転阻止部１１０に隣接して配される。このような工具結合部１２０には、フィクスチャー本体１０を回転させる回転用工具（図示せず）が着脱自在に結合される。本実施形態において、回転用工具（図示せず）には、歯科用ハンドピース（ｈａｎｄｐｉｅｃｅ）が使われるが、これにより、本発明の権利範囲が限定されるものではなく、フィクスチャー本体１０を回転させて歯槽骨（図示せず）に植立する多様な工具が、本実施形態の回転用工具（図示せず）として使われる。
【００４９】
このように、本実施形態において、回転用工具（図示せず）は、支台柱回転阻止部１１０で空間的に分離された工具結合部１２０に結合されることにより、支台柱回転阻止部１１０の形状が回転用工具（図示せず）の形状に影響を受けないので、従来技術とは異なって、支台柱回転阻止部１１０の内壁１１１の形状が支台柱（図示せず）の外壁に密着される形状（本実施形態の八角状）に変更されうる。
【００５０】
また、本実施形態によるフィクスチャー本体１０は、前述したように、支台柱回転阻止部１１０で空間的に分離された工具結合部１２０を通じてフィクスチャー本体１０を回転させるトルクを伝達されることにより、従来技術とは異なって、回転用工具（図示せず）のトルク伝達が支台柱回転阻止部１１０の形状に影響を受けず、フィクスチャー本体１０の植立過程で回転用工具（図示せず）のトルクがフィクスチャー本体１０に効果的に伝達されうる。
【００５１】
本実施形態において、工具結合部１２０は、図６に詳しく示したように、支台柱回転阻止部１１０の内壁１１１の縁部領域から上側に所定長さで延設される係止部１２１と、係止部１２１に連結され、係止部１２１の内壁からフィクスチャー本体１０の外壁方向に所定深さで陥没して形成される溝部１２２と、を含む。
【００５２】
本実施形態において、係止部１２１と溝部１２２は、支台柱用挿入溝（Ｈ１）の内壁の一部を成す。溝部１２２は、回転用工具（図示せず）の一部が挿入可能に形成され、係止部１２１は、溝部１２２に挿入された回転用工具（図示せず）の一部を円周方向で支持して回転用工具（図示せず）が支台柱用挿入溝（Ｈ１）でスリップすることを防ぎ、フィクスチャー本体１０の植立過程で回転用工具（図示せず）のトルクをフィクスチャー本体１０に効果的に伝達させる。
【００５３】
前述した係止部１２１の構造を詳しく説明すれば、係止部１２１は、支台柱回転阻止部１１０の内壁１１１の縁部領域から上側に所定長さで延びる。このような係止部１２１の内壁は、図６に詳しく示したように、支台柱回転阻止部１１０の内壁１１１と同一平面を成す。
【００５４】
このような係止部１２１の上端部は、図７に詳しく示したように、斜めに傾いた形状に設けられる。すなわち、係止部１２１の上端部は、上側に行くほど前記支台柱用挿入溝（Ｈ１）の内径が大きくなるように、斜めに傾いた形状に設けられる。
【００５５】
このように、本実施形態の係止部１２１の上端部は、側に行くほど前記支台柱用挿入溝（Ｈ１）の内径が大きくなるように、斜めに傾いた形状に設けられることにより、支台柱（図示せず）の挿入過程で支台柱（図示せず）の下降を自然に誘導する。
【００５６】
このような係止部１２１の円周方向の長さ（Ｊ）は、支台柱回転阻止部１１０の内壁１１１の一辺の長さ（Ｗ）よりも小さく設けられる。すなわち、図７に詳しく示したように、係止部１２１のフィクスチャー本体１０の円周方向に沿う長さ（Ｊ）は、支台柱回転阻止部１１０の内壁１１１が形成する八角状の一辺の長さ（Ｗ）よりも小さく設けられる。このような係止部１２１の円周方向の長さ（Ｊ）は、相対的に長い長さ（Ｋ、図８参照）を有する溝部１２２の形状を誘導する。
【００５７】
また、図７及び図８に詳しく示したように、係止部１２１の縦方向の長さは、支台柱回転阻止部１１０の縦方向の長さよりも小さく設けられる。
【００５８】
係止部１２１は、多数個設けられて、フィクスチャー本体１０の仮想の中心軸線（図示せず）を基準として対称に配される。図６に詳しく示したように、本実施形態の係止部１２１は、４個設けられるが、これにより、本発明の権利範囲が限定されるものではなく、本実施形態の係止部１２１は、多様な個数で設けられうる。
【００５９】
溝部１２２は、係止部１２１に連結される。このような溝部１２２は、係止部１２１の内壁からフィクスチャー本体１０の外壁方向に所定深さで陥没して形成される。
【００６０】
本実施形態において、溝部１２２は、図６に詳しく示したように、フィクスチャー本体１０の円周方向に長く延びる。本実施形態において、溝部１２２のフィクスチャー本体１０の円周方向に沿う長さ（Ｋ）は、支台柱回転阻止部１１０の内壁１１１が形成する八角状の一辺の長さ（Ｗ）よりも大きく設けられる。
【００６１】
このように、本実施形態の溝部１２２がフィクスチャー本体１０の円周方向に長く延設されることにより、回転用工具（図示せず）の結合時に、回転用工具（図示せず）が安定して支持される利点がある。
【００６２】
溝部１２２は、多数個設けられて、フィクスチャー本体１０の仮想の中心軸線（図示せず）を基準として対称に配される。図６に詳しく示したように、本実施形態の溝部１２２は、４個設けられるが、これにより、本発明の権利範囲が限定されるものではなく、本実施形態の溝部１２２は、多様な個数で設けられうる。
【００６３】
一方、テーパー部１３０は、工具結合部１２０の上部領域に配される。このようなテーパー部１３０は、図７及び図８に詳しく示したように、内壁１３１が支台柱用挿入溝（Ｈ１）を形成するが、フィクスチャー本体１０の上端部からフィクスチャー本体１０の下端部に行くほど支台柱用挿入溝（Ｈ１）の直径が漸進的に狭まるように、内壁１３１がテーパー状に設けられる。
【００６４】
このようなテーパー部１３０の内壁１３１の傾斜角度は、２〜６°の範囲を有しうるが、テーパー部１３０の内壁１３１に接触される支台柱（図示せず）の部分も、テーパー部１３０の内壁１３１の傾斜角度と同様の角度で傾斜して設けられる。したがって、支台柱用挿入溝（Ｈ１）に挿入された支台柱（図示せず）が、フィクスチャー本体１０に密着される。
【００６５】
このようなフィクスチャー本体１０の上端部の外側領域には、ラウンド（ｒｏｕｎｄ）加工されたベベル部１３５が設けられる。このようなベベル部１３５は、支台柱（図示せず）がフィクスチャー本体１０に結合される時、フィクスチャー本体１０と歯槽骨（図示せず）の上面とが当接する部分であって、歯槽骨（図示せず）との接触面積を増大させて、より広い面積での接触による強い固定力を提供する役割を果たす。
【００６６】
このようなベベル部１３５は、外側面がラウンド加工されて角部のない丸状に設けられることにより、フィクスチャー本体１０の植立過程で歯槽骨（図示せず）にかかる負荷を減らして、骨喪失（ｂｏｎｅ  ｌｏｓｓ）を減少させる。
【００６７】
一方、ベベル部１３５は、図７及び図８に詳しく示したように、最大直径がネジ部（Ｓ）の最大直径よりも小さく形成される。これにより、フィクスチャー本体１０の植立時に、歯槽骨（図示せず）にかかる負荷を減らし、骨喪失を減少させ、ベベル部１３５のための別途の植立器具が不要である。
【００６８】
一方、本実施形態において、ベベル部１３５は、アノダイジング（ａｎｏｄｉｚｉｎｇ）処理されるが、アノダイジング処理されることにより、強度と耐磨耗性面とで既存の製品よりも遥かに優れた効果を提供することができる。また、アノダイジングによってベベル部１３５に着色と柔らかい表面効果とが得られて、審美的に優れた効果がある。
【００６９】
アノダイジングについて簡略に説明する。金属（部品）を陽極にかけ、希釈−酸の液で電解すれば、陽極で発生する酸素によって素地金属と強固な密着力を有する酸化皮膜（酸化アルミニウム：Ａｌ２Ｏ３）が形成される。陽極酸化とは、すなわち、陽極（Ａｎｏｄｅ）と酸化（Ｏｘｉｄｉｚｉｎｇ）との合成語（Ａｎｏ−ｄｉｚｉｎｇ）である。電気メッキで部品を陰極にかけ、メッキするものとは差がある。陽極酸化の最も代表的な素材は、Ａｌであり、それ以外にＭｇ、Ｚｎ、Ｔｉ、Ｔａ、Ｈｆ、Ｎｂの金属素材上にもアノダイジング処理を行っている。最近、マグネシウムとチタン素材上のアノダイジング処理も、次第にその用途が増えている。
【００７０】
一方、支台柱支持部１４０は、支台柱回転阻止部１１０の下部領域に配されて支台柱回転阻止部１１０に連結される。このような支台柱支持部１４０の内壁１４１は、支台柱（図示せず）を支持する。
【００７１】
本実施形態において、支台柱支持部１４０の内壁１４１は、支台柱用挿入溝（Ｈ１）を形成し、支台柱回転阻止部１１０の場合とは異なって、フィクスチャー本体１０の円周方向に沿って円状に設けられる。
【００７２】
このように、本実施形態の支台柱支持部１４０の内壁１４１は、円状に設けられることにより、支台柱支持部１４０の内壁１４１と支台柱（図示せず）の外壁との間の離隔空間が最小化して、フィクスチャー本体１０に結合された支台柱（図示せず）の揺れを防止する。
【００７３】
一方、スクリュー締結部１５０は、支台柱支持部１４０の下部領域に配されて支台柱支持部１４０に連結される。このようなスクリュー締結部１５０には、支台柱支持部１４０の底面でフィクスチャー本体１０の長手方向に沿って形成されて支台柱（図示せず）をフィクスチャー本体１０に結合させる支台柱スクリュー（図示せず）が締結されるスクリュー溝（Ｈ２）が設けられる。
【００７４】
このようなスクリュー溝（Ｈ２）は、支台柱（図示せず）に設けられた貫通孔（図示せず）を通過した支台柱スクリュー（図示せず）が締結される部分である。
【００７５】
一方、図２ないし図８に詳しく示したように、本実施形態のフィクスチャー本体１０は、外壁の少なくとも一部が植立方向に沿って直径が漸進的に小さくなるように、テーパー状に設けられる。
【００７６】
このように、本実施形態によるフィクスチャー本体１０は、植立方向に沿って外壁の直径が漸進的に小さくなるテーパー状に設けられることにより、自然歯と類似した構造で形成されて安定的であり、植立時に発生する骨ヒーティング（ｂｏｎｅ  ｈｅａｔｉｎｇ）を抑制して植立を容易にし、初期固定力を高めうる。
【００７７】
一方、本実施形態のフィクスチャー本体１０には、外壁の周りに沿って螺旋状に形成されたネジ部（Ｓ）が設けられる。このようなネジ部（Ｓ）は、歯槽骨（図示せず）に形成された雌ネジ部（図示せず）に締結されてフィクスチャー本体１０を歯槽骨（図示せず）に堅く固定させる。
【００７８】
また、本実施形態のフィクスチャー本体１０には、円周方向に沿って形成されるカッティングエッジ部（ｃｕｔｔｉｎｇ  ｅｄｇｅ、Ｅ）が設けられる。このようなカッティングエッジ部（Ｅ）は、鋭い先端を形成することにより、フィクスチャー本体１０の植立をより容易にする。
【００７９】
本実施形態のカッティングエッジ部（Ｅ）は、図２ないし図８を参照して説明すれば、カッティングされた断面の形状が円状のグルーブ（ｇｒｏｏｖｅ）状を有するように設けられるが、カッティングエッジ部（Ｅ）を直線からなる溝状に設ける場合には、鋭い先端が浮き上がって歯槽骨（図示せず）の植立時に抵抗力が高くなり、ネジ部（Ｓ）の形状が減って、むしろ表面積が減少することによって、歯槽骨（図示せず）との結合力が低下する。
【００８０】
本実施形態のように、グルーブ状に設けられるカッティングエッジ部（Ｅ）は、ネジ部（Ｓ）の表面積を広げてフィクスチャー本体１０の植立時に結合力を向上させ、それにより、初期固定力を高めうる。
【００８１】
本実施形態において、カッティングエッジ部（Ｅ）は、フィクスチャー本体１０の円周方向に沿って同一間隔で３個設けられるが、本発明の権利範囲は、これに制限されるものではなく、必要に応じてカッティングエッジ部（Ｅ）の個数は、加減することが可能であり、設けないことも可能である。
【００８２】
以下、本実施形態の歯科用インプラントのフィクスチャー本体１０の動作を図１ないし図８を参照して説明する。
【００８３】
まず、フィクスチャー本体１０を歯槽骨（図示せず）に植立する過程を説明すれば、回転用工具（図示せず）を支台柱回転阻止部１１０の上部領域に位置された工具結合部１２０に結合させた後、図１に示されたドリリングされたホール（Ｇ）にフィクスチャー本体１０を植立する。
【００８４】
この際、溝部１２２には、回転用工具（図示せず）の一部が挿入され、係止部１２１には、溝部１２２に挿入された回転用工具（図示せず）の一部が円周方向で支持されることにより、回転用工具（図示せず）が支台柱用挿入溝（Ｈ１）でのスリップが防止され、それにより、フィクスチャー本体１０の植立過程で回転用工具（図示せず）のトルクがフィクスチャー本体１０に効果的に伝達される。
【００８５】
以後、支台柱（図示せず）を支台柱用挿入溝（Ｈ１）に挿入する。この際、支台柱回転阻止部１１０の内壁１１１が支台柱（図示せず）の外壁に結合されることにより、支台柱（図示せず）のフィクスチャー本体１０に対する相対回転が阻止される。
【００８６】
本実施形態において、支台柱回転阻止部１１０の内壁１１１及び支台柱（図示せず）の外壁は、八角状に設けられることにより、支台柱回転阻止部１１０の内壁１１１と支台柱（図示せず）の外壁は、従来に六角状に設けられるものに比べて、離隔空間がほとんどない程度に近く密着される。このように、支台柱回転阻止部１１０の内壁１１１と支台柱（図示せず）の外壁とが密着されることにより、フィクスチャー本体１０に結合された支台柱（図示せず）の揺れが防止される。
【００８７】
このような本実施形態による歯科用インプラントのフィクスチャー本体１０は、内壁１１１が支台柱（図示せず）の外壁に結合される形状に設けられる支台柱回転阻止部１１０の上部領域に配され、フィクスチャー本体１０を回転させる回転用工具（図示せず）が着脱自在に結合される工具結合部１２０を備えることにより、支台柱回転阻止部１１０の形状が回転用工具（図示せず）の形状に影響を受けず、支台柱回転阻止部１１０の内壁１１１の形状が支台柱（図示せず）の外壁に密着される形状に設けられ、それにより、フィクスチャー本体１０に結合された支台柱（図示せず）の揺れが防止されながらも、フィクスチャー本体１０の植立過程で回転用工具（図示せず）のトルクを効果的に伝達されうる。
【００８８】
図９は、本発明の第２実施形態による歯科用インプラントが示された図面であり、図１０は、図９の正面図であり、図１１は、図９の平面図であり、図１２は、図１０のＭ−Ｍ線に沿って見た断面が示された図面であり、図１３は、図１１のＰ−Ｐ線に沿って見た断面が示された図面であり、図１４は、図１１のＱ−Ｑ線に沿って見た断面が示された図面である。
【００８９】
本実施形態は、第１実施形態と比較する時に工具結合部２２０がテーパー部２３０に設けられる点で差があり、他の構成においては、図１ないし図８の第１実施形態の構成と同一なので、以下、同じ構成については、同じ図面符号を使用し、その説明を省略する。
【００９０】
本実施形態のテーパー部２３０は、図９ないし図１４に示したように、支台柱回転阻止部２１０の上部領域に配され、工具結合部２２０は、テーパー部２３０に設けられる。
【００９１】
本実施形態において、工具結合部２２０は、テーパー部２３０の内壁２３１からフィクスチャー２０の外壁方向に所定深さで陥没して形成される工具係合溝部２２２を含む。
【００９２】
本実施形態において、工具係合溝部２２２には、回転用工具（図示せず）の一部が挿入可能に形成され、工具係合溝部２２２の側壁は、工具係合溝部２２２に挿入された回転用工具（図示せず）の一部を円周方向で支持して回転用工具（図示せず）が支台柱用挿入溝（Ｈ１）でのスリップを防ぎ、フィクスチャー２０の植立過程で回転用工具（図示せず）のトルクをフィクスチャー２０に効果的に伝達させる。
【００９３】
このような工具係合溝部２２２の両側壁の間の長さ（Ｆ）は、支台柱回転阻止部２１０の内壁２１１の一辺の長さ（Ｗ）よりも小さく設けられる。すなわち、図１４に詳しく示したように、工具係合溝部２２２のフィクスチャー２０の円周方向に沿う長さ（Ｆ）は、支台柱回転阻止部２１０の内壁２１１が形成する八角状の一辺の長さ（Ｗ）よりも小さく設けられる。
【００９４】
また、本実施形態において、工具係合溝部２２２は、テーパー部２３０を垂直に切削する方向に形成される。したがって、図９ないし図１４に示したように、工具係合溝部２２２を形成する側壁（Ｒ）の高さは、下方に行くほど大きくなるように設けられる。
【００９５】
工具係合溝部２２２は、多数個設けられて、フィクスチャー２０の仮想の中心軸線（図示せず）を基準として対称に配される。図１２に詳しく示したように、本実施形態の工具係合溝部２２２は、８個設けられるが、これにより、本発明の権利範囲が限定されるものではなく、本実施形態の工具係合溝部２２２は、多様な個数で設けられうる。
【００９６】
このように、本実施形態による歯科用インプラントのフィクスチャー２０は、工具結合部２２０をテーパー部２３０に設けることにより、空間活用度を極大化する利点がある。
【００９７】
以上、図面を参照して、本実施形態について詳しく説明したが、本実施形態の権利範囲が、前述した図面及び説明に限定されるものではない。
【００９８】
このように、本発明は、記載の実施形態に限定されるものではなく、本発明の思想及び範囲を外れずに多様に修正及び変形できるということは、当業者に自明である。したがって、そのような修正例または変形例は、本発明の特許請求の範囲に属するものと言わなければならない。
【産業上の利用可能性】
【００９９】
本発明は、インプラント施術のための歯科治療時に用いることができる。
【図１】
2021505257.tif 000003
【図２】
2021505257.tif 000004
【図３】
2021505257.tif 000005
【図４】
2021505257.tif 000006
【図５】
2021505257.tif 000007
【図６】
2021505257.tif 000008
【図７】
2021505257.tif 000009
【図８】
2021505257.tif 000010
【図９】
2021505257.tif 000011
【図１０】
2021505257.tif 000012
【図１１】
2021505257.tif 000013
【図１２】
2021505257.tif 000014
【図１３】
2021505257.tif 000015
【図１４】
2021505257.tif 000016
【国際調査報告】
2021505257.tif 000017
2021505257.tif 000018
2021505257.tif 000019
2021505257.tif 000020